(57)【要約】【課題】移動通信端末装置及び通常の通信端末装置に両用できるウェブブラウザを搭載した移動通信端末装置を提示する。【解決手段】  携帯電話装置は、ウェブサイトへのアクセスに関する処理を行うブラウザアプリ３１と、モバイル用記憶領域２５Ｍと、通常記憶領域２５Ｎと、履歴保存領域２５Ｈとを備える。利用者が入力操作により、モバイルブラウザ又はフルブラウザのいずれかを選択すると、ブラウザアプリ３１は使用する情報をモバイル用記憶領域２５Ｍと通常記憶領域２５Ｎとの間で変更する。携帯電話装置は、ウェブサイトへのアクセス履歴を保存する履歴保存領域２５Ｈを更に備え、当該モードの変更を行う際に内容をクリアし、当該モードに対応したサイトの表示が適切に行われない、といった事態を防止する。【選択図】  図７
2008053785.tif 000002
【特許請求の範囲】
【請求項１】
ウェブサイトへのアクセスに関する処理を行う基幹処理手段と；
前記基幹処理手段が、移動通信端末装置専用に用意されたモバイルサイトへアクセスする際に利用する情報が格納された第１記憶領域と；
前記基幹処理手段が、汎用的に用意された通常サイトへアクセスする際に利用する情報が格納された第２記憶領域と；
を備える移動通信端末装置。
【請求項２】
動作指令が入力される操作入力手段を更に備え、
前記基幹処理部は、前記操作入力手段に入力されたウェブサイトへのアクセス指令で指定されたウェブサイトの種類に基づいて、前記ウェブサイトへのアクセスに際して利用する情報を選択する、ことを特徴とする請求項１に記載の移動通信端末装置。
【請求項３】
前記第１記憶領域は、
前記モバイルサイトを閲覧することが選択されていることを示す識別子を保持する第１識別子保持領域と；
前記ウェブサイトにおいて表示されたウェブサイトの表示内容を保存する第１サイト一時記憶領域と；
前記ウェブサイトにおいてウェブサイトが基幹処理部を通じて記憶部にデータを保存させ、次回接続時に便宜的な表示内容を実現させるための第１動作保持領域と；
前記ウェブサイトへのアクセスに際して必要な認証情報を保存する第１認証保持領域と；
の少なくとも一つを備え、
前記第２記憶領域は、
前記通常サイトを閲覧することが選択されていることを示す識別子を保持する第２識別子保持領域と；
前記ウェブサイトにおいて表示されたウェブサイトの表示内容を保存する第２サイト一時記憶領域と；
前記ウェブサイトにおいてウェブサイトが基幹処理部を通じて記憶部にデータを保存させ、次回接続時に便宜的な表示内容を実現させるための第２動作保持領域と；
前記ウェブサイトへのアクセスに際して必要な認証情報を保存する第２認証保持領域と；
の少なくとも一つを備える、ことを特徴とする請求項１又は２に記載の移動通信端末装置。
【請求項４】
前記基幹処理手段は、ウェブサイトへのアクセス履歴を保存する履歴保存領域を更に備え、前記モバイルサイト及び前記通常サイトのいずれか一方へのアクセスから他方へのアクセスの変更を行う際に、前記履歴保存領域の内容を消去する、ことを更に特徴とする請求項２又は３に記載の移動通信端末装置。
【発明の詳細な説明】
【技術分野】
【０００１】
本発明は、移動通信端末装置及び通常の通信端末装置に両用できるウェブブラウザを搭載した移動通信端末装置に関するものである。
【背景技術】
【０００２】
従来から、コンピューターや移動通信端末装置の社会への普及が目覚しく、通話機能や電子メール送受信機能が搭載されている。一般的な通信端末装置には、ウェブサイトが閲覧できるようなウェブサイト閲覧ソフトウエアが標準的に搭載されているが、移動通信端末装置は、パーソナルコンピューターに比べると処理性能や搭載メモリ量が劣り、表示画面も小さい。よって、移動通信端末装置には、当該モバイル専用ウェブサイトの閲覧に適したモバイル用ウェブサイト閲覧ソフトウエア（以下、「モバイルブラウザ」とも呼ぶ）を搭載し、各ウェブサイトの側でも、移動通信端末装置専用のウェブサイトを用意していることが一般的である。特許文献１においても、モバイルブラウザを使用し、モバイルブラウザ向けサイトを用いたデジタルコンテンツの提供システムが提示されている。
【特許文献１】特開２００４−１７１０８６
【発明の開示】
【発明が解決しようとする課題】
【０００３】
しかし、利用者の間では、移動通信端末装置からでも、パーソナルコンピューター向けの通常ウェブサイトを閲覧したいという希望がある。よって、近年では、移動通信端末装置においても、パーソナルコンピューター向けの通常ウェブサイトを快適に閲覧するための機能を有するようなウェブブラウザ（以下、「フルブラウザ」とも呼ぶ）も搭載され始めている。
【０００４】
とはいえ、モバイル用ウェブサイトの方が移動通信端末装置から閲覧するのに適しており、移動通信端末装置には、これを閲覧するための閲覧ソフトウエアが標準的に搭載される。よって、通常の移動通信端末装置を使用する上での便宜を計らいつつ、上記利用者の要望にも応えるためには、移動通信端末装置に、フルブラウザ及びモバイルブラウザの両方を搭載することが考えられる。しかしながら、フルブラウザ及びモバイルブラウザの両方を搭載することにすると、２つの互いに独立なブラウザを備えることになるために、移動通信端末装置内の構成が複雑化することになってしまう。また、モバイルブラウザを使用している場合にフルブラウザに変更する際には、一旦モバイルブラウザを終了しフルブラウザを改めて起動することが必要であるため、起動処理の手間もかかっていた。
【０００５】
本発明は、簡易な構成でモバイル用ウェブサイト及び通常用ウェブサイトにアクセスすることができる移動通信端末装置を提示することを目的とする。
【課題を解決するための手段】
【０００６】
本発明は、ウェブサイトへのアクセスに関する処理を行う基幹処理手段と；前記基幹処理手段が、移動通信端末装置専用に用意されたモバイルサイトへアクセスする際に利用する情報が格納された第１記憶領域と；前記基幹処理手段が、汎用的に用意された通常サイトへアクセスする際に利用する情報が格納された第２記憶領域と；を備える移動通信端末装置である。ここで、基幹処理手段が行う「ウェブサイトへのアクセスに関する処理」には、モバイル用サイト及び通常サイトへのアクセスにおいても必要とされるような、例えば、ＨＴＴＰ（Hyper Text Transfer Protocol）による移動通信端末装置との通信や、ウェブサイト上のＨＴＭＬ（Hyper Text Markup Language）文書の予約語による表記を解析して表示できる状態にする、といった処理が含まれる。
【０００７】
ここで、モバイルサイトへのアクセスに関しては、基幹処理部は第１記憶領域に格納される情報を利用する。また、通常サイトへのアクセスに関しては第２記憶領域に格納された情報を利用する。
【０００８】
このため、モバイルサイト用ブラウザ及び通常サイト用ブラウザの２種を独立に保持することなく、共通する処理部分を基幹処理部として共有し、モバイルサイト専用の情報と通常サイト専用の情報を分けて保有することで、ウェブサイト閲覧機能が実現される。したがって、本発明の移動通信端末装置によれば、簡易な構成でモバイル用ウェブサイト及び通常用ウェブサイトにアクセスすることができる。
【０００９】
本発明の移動通信端末装置では、動作指令が入力される操作入力手段を更に備え、前記基幹処理部が、前記操作入力手段に入力されたウェブサイトへのアクセス指令で指定されたウェブサイトの種類に基づいて、前記ウェブサイトへのアクセスに際して利用する情報を選択するようにすることができる。ここで、「操作入力」には、キー入力や音声入力等が含まれる。
【００１０】
この場合には、操作入力手段を介して、モバイルサイト又は通常サイトへのアクセス指令が入力されると、基幹処理部は、当該指令により指示されたウェブサイトの種類に基づいて、ウェブサイトのアクセスに際して使用する情報が格納された領域として、第１記憶領域及び第２記憶領域の使用のいずれを使用するかを決める。そして、基幹処理部は、使用する記憶領域を必要に応じて変更することにより、ブラウザの動作モードを変更する。
【００１１】
これにより、利用者は、自らの希望やウェブサイトの個別の事情に応じて、モバイルサイト又は通常サイトのいずれの閲覧を希望するかを適当な入力操作にて移動通信端末装置に指令することにより、所望するブラウザの動作モードに簡単に変更でき、当該モードに対応したウェブサイトを閲覧することができる。
【００１２】
また、本発明の移動通信端末装置では、前記第１記憶領域が、前記モバイルサイトを閲覧することが選択されていることを示す識別子を保持する第１識別子保持領域と；前記ウェブサイトにおいて表示されたウェブサイトの表示内容を保存する第１サイト一時記憶領域と；前記ウェブサイトにおいてウェブサイトが基幹処理部を通じて記憶部にデータを保存させ、次回接続時に便宜的な表示内容を実現させるための第１動作保持領域と；前記ウェブサイトへのアクセスに際して必要な認証情報を保存する第１認証保持領域と；の少なくとも一つを備え、前記第２記憶領域が、前記通常サイトを閲覧することが選択されていることを示す識別子を保持する第２識別子保持領域と；前記ウェブサイトにおいて表示されたウェブサイトの表示内容を保存する第２サイト一時記憶領域と；前記ウェブサイトにおいてウェブサイトが基幹処理部を通じて記憶部にデータを保存させ、次回接続時に便宜的な表示内容を実現させるための第２動作保持領域と；前記ウェブサイトへのアクセスに際して必要な認証情報を保存する第２認証保持領域と；の少なくとも一つを備えるようにすることができる。
【００１３】
この場合における、第１記憶領域内の、第１識別子保持領域、第１サイト一時記憶領域、第１動作保持領域、第１認証保持領域、について説明する。第１識別子保持領域には、モバイルサイトを閲覧するためのブラウザであることを示す識別子が保持される。この識別子には、移動通信端末装置の使用するウェブブラウザの種類、バージョン及び移動通信端末装置の機種等が示されるようになっている。ウェブサイトアクセス時に、当該ウェブサイトに対して当該識別子を送信することにより、ウェブサイト側がモバイルブラウザからのアクセスであることを判別し、当該ウェブブラウザに適したサイトであるモバイルサイトを提示するような仕組みになっている。
【００１４】
当該第１サイト一時記憶領域には、ウェブサイト閲覧手段を起動した後に移動通信端末装置がアクセスしたウェブサイトについて、サイトの表示内容を移動通信端末装置内部の記憶領域に保存しておく。当該表示内容を保存したファイルは、一般に「キャッシュ」や「インターネット一時ファイル」などと呼ばれる。そして、ウェブブラウザが、再度同じウェブサイトにアクセスを要求した場合には、当該ウェブサイトに関する当該一時記憶領域に保存しておいた当該ウェブサイトの更新時から変更があったか否かを問合せ、変更がないとの回答を得た場合には、該一時記憶領域に保存しておいたウェブサイトの情報を読み込んで携帯電話装置１０の表示部に再度表示する。これにより、データを新たにダウンロードする等の無駄を省き、迅速に利用者が所望するウェブサイトを表示させることができる。
【００１５】
第１動作保持領域には、ウェブサイトにアクセスした状態において、ウェブサイトから当該ウェブサイト上でウェブブラウザを通して入力した情報や行った動作内容等が、基幹処理部を通じて保存される。当該情報を記録したファイルは、一般に「クッキー」とも呼ばれる。これにより、次回接続時に、当該アクセスをした利用者に対して、その利用者の当該モバイルサイトの利用状況に沿った、利便性のある表示内容を実現させることができる。
【００１６】
第１認証保持領域は、ウェブサイトへのアクセスに際して必要な認証情報を保存するためのものである。例えば、ユーザＩＤとパスワードの組み合わせのようなものである。ウェブサイトには認証情報を入力することを要求するものもあるが、当該認証情報を移動通信端末装置の内部に記憶し保持しておくことにより、入力処理を省き、簡易に利用者が所望するモバイルサイトにアクセスすることができる。
【００１７】
通常サイトにアクセスする際に使用する第２記憶領域についても、第１記憶領域と同じように、第２識別子保持領域、第２サイト一時記憶領域、第２動作保持領域、第２認証保持領域を備える。第２識別子保持領域には、通常サイトを閲覧するためのブラウザであることを示す識別子が保持される。この識別子によって、ウェブサイトアクセス時に、当該ウェブサイトに対して当該識別子を送信することにより、ウェブサイト側がフルブラウザからのアクセスであることを判別し、通常サイトを提示するような仕組みになっている。
【００１８】
第２サイト一時記憶領域は、移動通信端末装置がアクセスした通常サイトについて、ウェブサイトの表示内容を移動通信端末装置内部の記憶領域に保存しておく。そして、再度同じウェブサイトにアクセスを要求した場合には、前回アクセスした時点から変更がなければ、当該第２サイト一時記憶領域に保存しておいたウェブサイトの情報を読み込んで再度表示する。
【００１９】
第２動作保持領域には、ウェブサイトにアクセスした状態において、当該ウェブサイト上でウェブブラウザを通して入力した情報や行った動作等が保存される。これにより、次回接続時に、当該アクセスをした利用者に対して、その利用者の当該通常サイトの利用状況に沿った、利便性のある表示内容を実現させることができる。
【００２０】
第２認証保持領域は、ウェブサイトへのアクセスに際して必要な認証情報を保存するためのものである。こうして、当該認証情報を移動通信端末装置の内部に記憶し保持しておくことにより、入力処理を省き、簡易に利用者が所望する通常サイトにアクセスすることができる。
【００２１】
こうして、モバイルサイトと通常サイトで内容が異なる可能性のある情報について、別々に情報を保存する領域を準備し、モバイルサイト用の情報を第１記憶領域に保持し、通常サイト用の情報を第２記憶領域に保持し、ブラウザのモードに対応して両者を使い分けることで、円滑な閲覧が可能となる。
【００２２】
また、本発明の移動通信端末装置では、前記基幹処理手段が、ウェブサイトへのアクセス履歴を保存する履歴保存領域を更に備え、前記モバイルブラウザと前記フルブラウザの一方のモードから他方のモードへの変更を行う際に、前記履歴保存領域の内容を消去するようにすることができる。
【００２３】
この場合には、上述の基幹処理手段は、ウェブサイトへアクセスした際に、前の画面やサイトに戻る、又は先の画面やウェブサイトに進む、という機能を実現するために、アクセスしたウェブサイトのネットワーク上の位置を示す識別子を保存するための、履歴保存領域を備えている。モバイルブラウザからフルブラウザへモードを変更した場合、又はフルブラウザからモバイルブラウザへモードを変更した場合には、当該変更が行われた時点で、変更前のアクセス履歴である、履歴保存領域の内容を全て消去する。
【００２４】
例えば、フルブラウザからモバイルブラウザに変更した後に前のサイトに戻ることを選択した場合、基幹処理手段はモバイルサイト閲覧用の状態であるにも関わらず、通常サイトの表示を指示した事になる。すると、基幹処理手段はアクセス履歴によって前の通常サイトを表示しようとするが、サイトの表示処理が不可能あるいは不完全になってしまう可能性がある。
【００２５】
また、逆にモバイルブラウザからフルブラウザに変更した後に、前のサイトに戻ることを選択した場合には、情報が相当に不十分にしか表示されない可能性がある。したがって、当該変更の時点で履歴保存領域の内容を全て消去することにより、これらの不自然な表示がなされることを防止することができる。
【発明の効果】
【００２６】
以上説明したように、本発明の移動通信端末装置によれば、簡易な構成で、モバイルサイト及び通常サイトにアクセスすることができるという効果を奏する。
【発明を実施するための最良の形態】
【００２７】
以下、本発明の実施形態を、図１〜図１０を参照しつつ説明する。なお、これらの図においては、同一又は同等の要素には同一の符号を付し、重複する説明を省略する。
【００２８】
[構成]
図１には、移動通信端末装置を含むシステム構成１００が概略的に示されている。移動通信端末装置である携帯電話装置１０は、基地局５１を介してネットワーク５０に接続し、ウェブサーバ７０に接続できるようになっている。また、ネットワーク５０には、ウェブサーバ７０のプロキシサーバとして、モバイル用プロキシサーバ６１及び通常用プロキシサーバ６２が接続されている。なお、図１にはネットワーク５０に接続する基地局として基地局５１が代表的に示されているが、実際には複数の基地局が接続されている。
【００２９】
図２には、移動通信端末装置である携帯電話装置１０の外観構成が概略的に示されている。ここで、図２（Ａ）には、携帯電話装置１０の外観の正面図が示され、図２（Ｂ）には、携帯電話装置１０の外観の背面図が示されている。
【００３０】
図２（Ａ）及び図２（Ｂ）に総合的に示されるように、携帯電話装置１０は、（ａ）携帯電話本体１１と、（ｂ）電話番号を入力するためのテンキー、及び、動作モードの切換等の各種指令を、後述する制御部２１（図２参照）に入力するためのファンクションキーを有する操作部１２と、（ｃ）操作案内、動作状況、受信メッセージ等を表示する液晶表示装置を有する表示手段としての表示部１３とを備えている。また、携帯電話装置１０は、（ｄ）通話時に通信相手から送られてきた音声信号を再生する通話用スピーカ１４と、（ｅ）集音時に音を入力したり、通話時に音声を入力したりするためのマイクロフォン１５と、（ｆ）着信音や案内音を発生するための案内用スピーカ１６と、（ｇ）基地局との間で無線信号を授受するためのアンテナ１７とを備えている。
【００３１】
携帯電話本体１１の内部には、図３に示されるように、（ｉ）携帯電話装置１０全体の動作を統括制御する制御部２１と、(ii)アンテナ１７を介して、基地局との間で無線信号の送受信を行う送受信部２２と、（iii）制御部２１で実行されるプログラムや各種データを格納する、読出専用メモリ（ＲＯＭ）素子やランダムアクセスメモリ（ＲＡＭ）素子を有する記憶部２３と、(iv)制御部２１内で動作するブラウザアプリケーション（以下、「ブラウザアプリ」とも呼ぶ）３１が備えられている。
【００３２】
ここで、記憶部２３内には、図４に示されるように、一時記憶領域２４及びウェブ情報記憶領域２５が用意されている。ウェブ情報記憶領域２５の中には、モバイル記憶領域２５Ｍと、通常記憶領域２５Ｎと、履歴保存領域２５Ｈとが用意されるようになっている。
【００３３】
モバイル記憶領域２５Ｍは、図５で示されるようにユーザエージェントフォルダ２６Ｍ、キャッシュフォルダ２７Ｍ、クッキーフォルダ２８Ｍ、認証情報フォルダ２９Ｍを備えている。さらに、ユーザエージェントフォルダ２６Ｍにはユーザエージェント情報２６ＭＦを、キャッシュフォルダ２７Ｍにはキャッシュ２７Ｍi（ｉ＝１、２、…）を、クッキーフォルダ２８Ｍにはクッキー２８Ｍj（ｊ＝１、２、…）を、認証情報フォルダ２９Ｍには認証情報２９Ｍk（ｋ＝１、２、…）を備えている。
【００３４】
ユーザエージェント情報２６ＭＦとは、モバイルサイトを閲覧していることをウェブサイトに示す、つまりブラウザアプリ３１の種類や機種の種類を示すための識別子である。モバイル記憶領域２５Ｍと通常記憶領域２５Ｎに各一つずつ該当するファイルが存在する。
【００３５】
キャッシュ２７Ｍiとは、ブラウザアプリ３１を起動した後に移動通信端末装置がアクセスしたウェブサイトについて、サイトの表示内容を一時保存するファイルである。ウェブサイトへのアクセスによって当該ファイルが作成され、複数のキャッシュ２７Ｍ1、２７Ｍ2、…がキャッシュフォルダ２７Ｍに保存可能である。
【００３６】
クッキー２８Ｍjとは、ウェブサイトにおいてウェブサイトがブラウザアプリを通じて次回接続時に便利な表示内容を実現させるためのデータが保存されたファイルである。ウェブサイトに対するアクセス要求へのウェブサイトからのレスポンスにより、ウェブサーバから送信されるクッキーファイルを受け入れることでクッキーフォルダ２８Ｍ内にそのウェブサイトに対応したファイルが作成され、次回からの当該ウェブサイトの表示は、クッキーファイルを参照して行われる。複数のクッキー２８Ｍ1、２８Ｍ2、…がクッキーフォルダ２８Ｍに保存可能である。
【００３７】
認証情報２９Ｍkとは、ウェブサイトへのアクセスに際して必要な認証情報を保存するファイルであり、ユーザＩＤとパスワードの組み合わせのようなものである。複数の認証情報２９Ｍ1、２９Ｍ2、…が認証情報フォルダ２９Ｍに保存可能である。
【００３８】
通常記憶領域２５Ｎは、図６に示すように、上記のモバイル記憶領域２５Ｍと同様に構成されている。すなわち、通常記憶領域２５Ｎは、ユーザエージェントフォルダ２６Ｎにユーザエージェント情報２６ＮＦを、キャッシュフォルダ２７Ｎにキャッシュ２７Ｎp（ｐ＝１、２、…）を、クッキーフォルダ２８Ｎにクッキー２８Ｎq（ｑ＝１、２、…）を、認証情報フォルダ２９Ｎに認証情報２９Ｎr（ｒ＝１、２、…）を備えている。
【００３９】
履歴保存領域２５Ｈは、ウェブサイトへのアクセス履歴を保存する領域であるが、特にモバイルサイトアクセス用と通常サイトアクセス用との領域を分けて保有してはいない。
【００４０】
図３に戻り、制御部２１は、中央処理装置（ＣＰＵ）、デジタル信号処理装置（ＤＳＰ）等を備えており、プログラムを実行することにより、一般的な携帯電話機能を実現するために様々なデータ処理を行うとともに、上述した他の構成要素の動作制御を行うようになっている。この制御部２１において実行されるプログラムの一つとしてブラウザアプリ３１がある。
【００４１】
ブラウザアプリ３１は、図７に示されるように、基幹処理部３２及び入力検出部３３を備えている。ここで、基幹処理部３２は、送受信部２２を介したＨＴＴＰによる通信や、取得されたデータである文書の解析、表示部１３への表示の準備等を行う。その際、ウェブ記憶領域２５内に用意された、モバイル記憶領域２５Ｍ、通常記憶領域２５Ｎ、履歴保存領域２５Ｈを適宜使用する。
【００４２】
本発明の携帯電話装置１０におけるブラウザ機能は、図８に示すように、ブラウザ機能の主な部分であるブラウザアプリ３１及び履歴保存領域２５Ｈを共有し、モバイル記憶領域２５Ｍ、又は通常記憶領域２５Ｎを使い分けることで、それぞれモバイルブラウザ機能部３１Ａとフルブラウザ機能部３１Ｂとして、概念的に把握される。ブラウザアプリ３１は、選択されたモードであるモバイルブラウザ又はフルブラウザに合わせて、使用するデータをモバイル記憶領域２５Ｍと通常記憶領域２５Ｎとの間で変更する。ブラウザアプリ３１の初期設定のモードは、モバイルブラウザになっている。
【００４３】
図７に戻り、入力検出部３３は、操作部１２等からの入力操作により行われた利用者からの指令を検出し、モバイルブラウザ又はフルブラウザにそのモードを設定、変更する旨の指示を、基幹処理部３２に通知する。
【００４４】
[動作]
次に、以上のように構成された携帯電話装置１０について説明する。
【００４５】
＜ブラウザアプリの起動及びモバイル用サイトへのアクセスの動作＞
利用者によって明示的にブラウザアプリ３１の起動が指令される、あるいは、利用者が記憶領域内の受信メールやウェブサイトの画面表示を保存したファイル上などからリンク先に移動することを選択した、などの場合には、ブラウザアプリ３１を起動する処理である図９中のＳ４１が行われる。
【００４６】
この際、初期設定として、ブラウザアプリ３１はモバイルブラウザとして起動されるので、ブラウジングに使用されるデータは、ウェブ情報記憶領域２５中のモバイル記憶領域２５Ｍである。また、利用者はブラウザアプリ３１の起動自体のみを指示した場合、更に接続希望ウェブサイトを指定する。
【００４７】
すると、ブラウザアプリ３１の基幹処理部３２は、図７に示される送受信部２２を介しネットワーク５０に対して、図９に示されるように、論理回線接続要求を行う。ネットワーク５０との間で当該接続が成功すると、完了報告が、ブラウザアプリ３１に対して行われる。
【００４８】
これを受けて、基幹処理部３２は、利用者が所望したウェブサイトに対応したモバイル用プロキシサーバ６１に対し、ネットワーク５０を介してＨＴＴＰ要求を行う。この際、基幹処理部３２は、モバイル記憶領域２５Ｍ中のユーザエージェント情報２６ＭＦをＨＴＴＰヘッダの中に埋め込んで送る。こうして、モバイル用プロキシサーバ６１に対して、ブラウザアプリ３１がモバイルブラウザとして機能していることが伝えられる。また、当該ウェブサイト用の認証情報をモバイル記憶領域２５Ｍに保持している場合には、その認証情報２９Ｍiも同様にモバイル用プロキシサーバ６１に対して送る。
【００４９】
当該ＨＴＴＰ要求を受信したモバイル用プロキシサーバ６１は、ウェブサーバ７０に対し、当該ＨＴＴＰ要求の内容を送信する。ウェブサーバ７０においては、ユーザエージェント情報２６ＭＦにより、モバイルブラウザからデータ送信要求がなされていることが認識される。さらに、認証情報２９Ｍkも送信されている場合には、これをもってウェブサーバ７０に対し、当該ブラウザアプリ３１の利用者の認証が行われる。
【００５０】
こうして、ウェブサーバ７０は、当該ＨＴＴＰ要求に適合したＨＴＴＰ応答をモバイル用プロキシサーバ６１に返送する。これを受けたモバイル用プロキシサーバ６１は、ブラウザアプリ３１に当該ＨＴＴＰ応答を返送する。
【００５１】
当該ＨＴＴＰ応答は送受信部２２を介してブラウザアプリ３１の基幹処理部３２が処理する。基幹処理部３２はＨＴＭＬ文書中のタグの解釈等を行い、その内容について移動通信端末装置内にある他のアプリケーション等を適宜使用して、生成されたウェブサイト画面を表示部１３に出力し表示させる。これをもって、ウェブサーバ７０との通信は成功する。
【００５２】
＜モバイル用記憶領域内のデータの使用＞
一旦ブラウザアプリ３１が起動済みとなった後、ブラウザアプリ３１においてクッキーを受け入れる設定にしてあれば、ウェブサイトによって、クッキーの設定がＨＴＴＰ通信においてなされる。当該ウェブサーバの指令により、図５のモバイル用記憶領域２５Ｍにおけるクッキーフォルダ２８Ｍ中に、クッキー２８Ｍjが作成される。こうして、その後は、利用者の当該ウェブサイト上における入力動作に合わせて、クッキー２８Ｍjが適宜更新され、利用者に便利なようにウェブサイトの内容が変化して表示されることになる。
【００５３】
同様に、一旦ブラウザアプリ３１が起動済みとなった後、キャッシュフォルダ２７Ｍにないウェブサイトについては、その内容が、キャッシュフォルダ２７Ｍ中のキャッシュ２７Ｍiに保存される。利用者により、ブラウザアプリ３１が、再度同じウェブサイトを訪問する指示を出した場合には、当該ウェブサイトに対しキャッシュ２７Ｍiの最終更新時を以って問合せ、変更がない場合は、当該キャッシュ２７Ｍiに保存されているデータに基づいてウェブサイトを表示させる。このように、利用者がアクセスを所望するウェブサイトの内容を、携帯電話装置１０の内部より読み出すため、迅速に表示させることが可能になる。
【００５４】
また、ブラウザアプリ３１が起動してから後の、ウェブサイトの訪問履歴を、当該各ウェブサイトのアドレスによって、ウェブ情報記憶領域２５中の履歴保存領域２５Ｈに保存する。これによって、ブラウザ機能の「先へ進む」「前へ戻る」といったメニューを選択することで、履歴保存領域２５Ｈ内の履歴を辿ってウェブサイトの移動が可能になる。
【００５５】
＜モバイルブラウザからフルブラウザへの変更＞
利用者によって、操作部１２等の入力手段により、モバイルブラウザからフルブラウザに変更する指令である変更指令Ｓ４２がなされた場合は、入力検出部３３がこれを検出する。入力検出部３３は、当該検出をした場合、基幹処理部３２に、ブラウザアプリ３１をモバイルブラウザからフルブラウザに変更することを指令する。
【００５６】
当該指令を受けた基幹処理部３２は、ブラウザアプリ３１とネットワーク５０との間の論理回線切断要求を、ネットワーク５０に対して行う。ネットワーク５０はこれを受けて論理回線切断処理を行い、基幹処理部３２に、完了報告を行う。
【００５７】
続けて、図１０のＳ４３において、基幹処理部３２は、基幹処理部３２が使用するデータをモバイル記憶領域２５Ｍから通常記憶領域２５Ｎに変更する処理を行う。続いて、ウェブ記憶領域２５中の履歴保存領域２５Ｈの中身をクリアする。これらの履歴は、モバイルブラウザとしてのブラウザアプリ３１が訪問したウェブサイトのアドレス等であるので、フルブラウザに変更したあとにもモバイルブラウザ用のウェブサイトにアクセスできてしまうと、表示される内容が適正でない、といった問題が生じる可能性があるためである。これをもって、フルブラウザへの変更が完了する。
【００５８】
＜通常サイトへのアクセスの動作＞
続けて、ブラウザアプリ３１の基幹処理部３２は、再度、図７に示される送受信部２２を介しネットワーク５０に対して、図１０に示されるように、論理回線接続要求を行う。ネットワーク５０との間で当該接続が成功すると、完了報告が、ブラウザアプリ３１に対して行われる。
【００５９】
これを受けて、基幹処理部３２は、ネットワーク５０上に接続されている、利用者が変更前にアクセスしていたウェブサイトに対応した通常用プロキシサーバ６２に対し、ＨＴＴＰ要求を行う。この際、基幹処理部３２は、通常記憶領域２５Ｎ中のユーザエージェント情報２６ＮＦをＨＴＴＰヘッダの中に埋め込んで送る。こうして通常用プロキシサーバ６２に、ブラウザアプリ３１がフルブラウザとして機能していることが伝えられる。また、当該ウェブサイト用の認証情報を通常記憶領域２５Ｎに保持している場合には、その認証情報２９Ｎrも送る。
【００６０】
当該ＨＴＴＰ要求を受信した通常用プロキシサーバ６２は、ウェブサーバ７０に対し、当該ＨＴＴＰ要求を送信する。ウェブサーバ７０においては、ユーザエージェント情報２６ＮＦにより、フルブラウザからデータ送信要求がなされていることが認識される。さらに、認証情報２９Ｎrも送信されている場合には、これをもってウェブサーバ７０に対し、当該ブラウザアプリ３１の利用者の認証が行われる。
【００６１】
こうして、ウェブサーバ７０は、当該ＨＴＴＰ要求に適合したＨＴＴＰ応答をモバイル用プロキシサーバ６１に返送する。これを受けた通常用プロキシサーバ６２は、ブラウザアプリ３１に当該ＨＴＴＰ応答を返送する。
【００６２】
当該ＨＴＴＰ応答は送受信部２２を介して基幹処理部３２が処理する。基幹処理部３２はＨＴＭＬタグの解釈等を行った結果を、表示部１３に出力し表示させる。これをもって、ウェブサーバ７０との通信が成功する。こうして、利用者からの見た目ではウェブサイトへの接続を維持しながら、モバイルブラウザとフルブラウザを変更する処理が完了する。
【００６３】
通常記憶領域内のデータの使用の仕方については、モバイル用記憶領域内のデータの使用と、使用するデータ以外は全く同じである。モバイル記憶領域２５Ｍでなく通常用記憶領域２５Ｎを使用し、通常用記憶領域２５Ｎ内にある各フォルダを使用する、ということのみが異なっている。また、履歴保存領域２５Ｈは、クリアされているので、同じ領域をフルブラウザでも同様に用いる。
【００６４】
なお、上記の動作においては、フルブラウザからモバイルブラウザに変更することも自由であり、その際の動作は、モバイルブラウザからフルブラウザへの変更の際の動作と同様である。
【００６５】
＜ブラウザアプリ３１の終了動作＞
通常は利用者によって操作部１２からの入力操作等により、図１０における終了指令Ｓ４４がなされると、携帯電話装置１０は、ネットワーク５０に対し、論理回線切断要求を行う。これを受けたネットワーク５０上のノードは、論理回線を切断するべき処理を行う。その後、ネットワーク５０上のノードは、完了報告を行い、これを受けたブラウザアプリ３１においては、履歴保存領域２５Ｈの内容をクリアすること、及び自分自身を終了する処理を行う。これによって、ブラウザアプリ３１の終了が完了する。
【００６６】
以上説明したように、本発明の携帯電話装置１０は、ウェブサイトへのアクセスに関する処理を行う基幹処理部３２と、モバイルブラウザ及びフルブラウザの一方から他方へモードを変換する入力を検出する入力検出部３３と、モバイルサイトにアクセスする際に利用する情報が格納されたモバイル記憶領域２５Ｍと、通常サイトにアクセスする際に利用する情報が格納された通常記憶領域２５Ｎとを備える。これによって、ウェブブラウジングについて共通する処理部分をブラウザアプリ３１として共有し、モバイルサイト専用の情報と通常サイト専用の情報を分けて保有することで、モバイルブラウザ機能とフルブラウザ機能に両用できるブラウザ機能が実現される。
【００６７】
また、本発明の携帯電話装置１０は、操作入力手段により入力されたウェブサイトへのアクセス指令で指定されたブラウザアプリ３１のモードに基づいて、ウェブサイトへのアクセスに際して使用する情報を読み出す領域を、モバイル用記憶領域２５Ｍと通常記憶領域２５Ｎから選択することができる。
【００６８】
よって、利用者は、自らの希望やウェブサイトの個別の事情に応じて、モバイルサイト又は通常サイトのいずれの閲覧を希望するかを適当な入力操作にて携帯電話装置１０に指令することにより、所望の閲覧方法に簡単に変更することができる。
【００６９】
また、本発明の携帯電話装置１０は、モバイル記憶領域２５Ｍ及び通常記憶領域２５Ｎの内部にそれぞれ、ウェブの閲覧方法を示す識別子であるユーザエージェント情報、アクセスしたウェブサイトについて、ウェブサイトの表示内容を携帯電話装置１０の内部に記憶するための領域であるキャッシュ、ブラウザを通してウェブサイト上で利用者が入力した情報を保存する領域であるクッキー、ウェブサイトへのアクセスに際して必要とされる認証情報、をそれぞれ保持する。
【００７０】
よって、モバイルサイトと通常サイトで必要となる情報を別々に準備しておくことで、利用者の入力操作によるブラウザアプリ３１のモードの変更に対応して両者を使い分けることができ、円滑な閲覧が可能となる。
【００７１】
また、本発明の携帯電話装置１０は、ウェブサイトへのアクセス履歴を保存する履歴保存領域２５Ｈを更に備え、モバイルブラウザ及び通常ブラウザの一方から他方へのモードの変更を行う際に、履歴保存領域２５Ｈの内容をクリアする。この場合には、当該変更後には、変更前のモードによってアクセスしたウェブサイトについての、「前に戻る」及び「先に進む」といった機能は実現しなくなる。
【００７２】
これによって、通常サイトアクセスとモバイルサイトアクセスとを変更した後にアクセス履歴に基づいたウェブサイトに移動する場合、ブラウザアプリ３１がモバイルブラウザであるにも関わらず通常ウェブサイトの表示がなされたり、フルブラウザであるにも関わらずモバイルサイトの表示がなされたりするような、当該サイトの表示が適切に行われない、といった事態を防止することができる。
【００７３】
[実施形態の変形]
なお、上記の実施形態では、ブラウザアプリのモードの初期設定をモバイルブラウザとしたが、フルブラウザとすることもでき、又は利用者が予め設定できるようにしてもよく、あるいはブラウザアプリの使用開始時に毎回選択できるようにしてもよい。
【００７４】
また、上記の実施形態では、ブラウザアプリがブラウザのモードに対応させて使用する領域内に、ユーザエージェント情報、キャッシュ、クッキー、認証情報、を保持するとしたが、これらのうちの少なくとも一つを保持する、とすることもできる。
【００７５】
また、上記の実施形態で使用した以外の機能を実現するために、ブラウザアプリがモードに対応させて使用する領域内に、上述した以外の情報を保持することもできる。例えば、ブラウザのモードを変更するタイミングでフルブラウザ又はモバイルブラウザへ変更することを表示する警告画面機能等、ブラウザアプリを起動した際に予め登録しておいたウェブサイトのアドレスにアクセスし画面を初期表示するホーム機能、ウェブサイトの画面を保存するストレージ保存機能、利用者が簡易に所望のウェブサイトに移動するためにウェブサイトのアドレスを登録しておくブックマーク機能、等である。
【００７６】
また、上記の実施形態では、本発明を携帯電話装置に適用したが、携帯電話装置以外の移動通信端末装置に本発明を適用することができるのは勿論である。
【産業上の利用可能性】
【００７７】
以上説明したように、本発明の移動通信端末装置は、モバイルブラウザとフルブラウザに両用できるウェブブラウザを搭載した移動通信端末装置に適用できる。
【図面の簡単な説明】
【００７８】
【図１】本発明の移動通信端末装置を含めたネットワーク構成を説明するためのブロック図である。
【図２】図１に表された移動通信端末装置の外観構成を概略的に示す図である。
【図３】図２の装置の内部構成を説明するためのブロック図である。
【図４】図２の装置の内部の記憶領域に存在するウェブ記憶領域の構成を示す図である。
【図５】図４のウェブ記憶領域の内部に存在するモバイル記憶領域の構成を示す図である。
【図６】図４のウェブ記憶領域の内部に存在する通常記憶領域の構成を示す図である。
【図７】図２の装置におけるブラウザアプリの構成と入力及び出力の関係を示すブロック図である。
【図８】図２の装置におけるモバイルブラウザ機能とフルブラウザ機能の概念を説明する図である。
【図９】図２の装置におけるモバイルブラウザ起動からフルブラウザへの変更までの動作を示すシーケンス図である。
【図１０】図２の装置におけるモバイルブラウザからフルブラウザへの変更後の動作を示すシーケンス図である。
【符号の説明】
【００７９】
１０…携帯電話装置（通信端末装置）、１１…携帯電話本体、１２…操作部、１３…表示部、１４…通話用スピーカ、１５…マイクロフォン、１６…案内用スピーカ、１７…アンテナ、２１…制御部、２２…送受信部、２３…記憶部、２４…一時記憶領域、２５…ウェブ情報記憶領域、２５Ｍ…モバイル記憶領域、２５Ｎ…通常記憶領域、２５Ｈ…履歴保存領域、２６Ｍ，２６Ｎ…ユーザエージェントフォルダ、２６ＭＦ，２６ＮＦ…ユーザエージェント情報、２７Ｍ，２７Ｎ…キャッシュフォルダ、２７Ｍi，２７Ｎp…キャッシュ、２８Ｍ，２８Ｎ…クッキーフォルダ、２８Ｍj，２８Ｎq…クッキー、２９Ｍ，２９Ｎ…認証情報フォルダ、２９Ｍk，２９Ｎr…認証情報、３１…ブラウザアプリ、３１Ａ…モバイルブラウザ機能部、３１Ｂ…フルブラウザ機能部、３２…基幹処理部、３３…入力検出部、５０…ネットワーク、５１…基地局、６１…モバイル用プロキシサーバ、６２…通常用プロキシサーバ、７０…ウェブサーバ。
【図１】
2008053785.tif 000003
【図２】
2008053785.tif 000004
【図３】
2008053785.tif 000005
【図４】
2008053785.tif 000006
【図５】
2008053785.tif 000007
【図６】
2008053785.tif 000008
【図７】
2008053785.tif 000009
【図８】
2008053785.tif 000010
【図９】
2008053785.tif 000011
【図１０】
2008053785.tif 000012